(57)【要約】【課題】緊急事態発生時において、ネットワークに対する負荷を低減し、安否情報を確実に配信する安否情報配信装置を提供する。【解決手段】安否情報配信装置は、１以上の安否情報の配信先とそれぞれの配信先に対する配信の優先順位とを利用者に登録させる配信先・優先順位情報登録手段と、配信先と優先順位とを格納する配信先・優先順位情報格納手段と、緊急情報を同報受信する緊急情報受信手段と、緊急情報受信時に配信先に安否情報を配信するか否か等を利用者に選択させる利用者確認手段と、優先順位に従い配信先毎の配信順位を決定し、前回のメッセージ送信の成功・失敗に応じて送信抑止時間を決定して、メッセージ送信手段による安否情報の送信が成功するまで送信を繰り返す安否情報配信制御手段と、を備える。【選択図】      図１
2013206071.tif 000002
【特許請求の範囲】
【請求項１】
１以上の安否情報の配信先とそれぞれの配信先に対する配信の優先順位とを利用者に登録させる配信先・優先順位情報登録手段と、
前記配信先と前記優先順位とを格納する配信先・優先順位情報格納手段と、
緊急情報を同報受信する緊急情報受信手段と、
緊急情報受信時に前記配信先に安否情報を配信するか否か等を利用者に選択させる利用者確認手段と、
前記安否情報を前記配信先に送信することを試みるメッセージ送信手段と、
前記優先順位に従い前記配信先毎の配信順位を決定し、前回のメッセージ送信の成功・失敗に応じて送信抑止時間を決定して、前記メッセージ送信手段による前記安否情報の送信が成功するまで送信を繰り返す安否情報配信制御手段と、
を備えることを特徴とする安否情報配信装置。
【請求項２】
１以上の安否情報の配信先とそれぞれの配信先に対する配信の優先順位とを利用者に登録させる配信先・優先順位情報登録ステップと、
前記配信先と前記優先順位とを格納する配信先・優先順位情報格納ステップと、
緊急情報を同報受信する緊急情報受信ステップと、
緊急情報受信時に前記配信先に安否情報を配信するか否か等を利用者に選択させる利用者確認ステップと、
前記安否情報を前記配信先に送信することを試みるメッセージ送信ステップと、
前記優先順位に従い前記配信先毎の配信順位を決定し、前回のメッセージ送信の成功・失敗に応じて送信抑止時間を決定して、前記メッセージ送信ステップによる前記安否情報の送信が成功するまで送信を繰り返す安否情報配信制御ステップと、
を含むことを特徴とする安否情報配信方法。
【請求項３】
１以上の安否情報の配信先とそれぞれの配信先に対する配信の優先順位とを利用者に登録させる配信先・優先順位情報登録手順と、
前記配信先と前記優先順位とを格納する配信先・優先順位情報格納手順と、
緊急情報を同報受信する緊急情報受信手順と、
緊急情報受信時に前記配信先に安否情報を配信するか否か等を利用者に選択させる利用者確認手順と、
前記安否情報を前記配信先に送信することを試みるメッセージ送信手順と、
前記優先順位に従い前記配信先毎の配信順位を決定し、前回のメッセージ送信の成功・失敗に応じて送信抑止時間を決定して、前記メッセージ送信手順による前記安否情報の送信が成功するまで送信を繰り返す安否情報配信制御手順と、
をコンピュータに実行させることを特徴とする安否情報配信プログラム。
【請求項４】
１以上の安否情報の配信先とそれぞれの配信先に対する配信の優先順位とを利用者に登録させる配信先・優先順位情報登録手段と、
緊急情報を同報受信する緊急情報受信手段と、
緊急情報受信時に前記配信先に安否情報を配信するか否か等を利用者に選択させる利用者確認手段と、
前記安否情報を安否情報配信サーバに送信することを試みるメッセージ送信手段と、
前回のメッセージ送信の成功・失敗に応じて送信抑止時間を決定して、前記メッセージ送信手段による前記安否情報の送信が成功するまで送信を繰り返す安否情報配信制御手段と、
を備える１以上の安否情報配信装置と、
安否情報配信装置から前記安否情報を受信するメッセージ受信手段と、
前記配信先と前記優先順位とを格納する配信先・優先順位情報格納手段と、
前記安否情報を前記配信先に送信することを試みるメッセージ送信手段と、
前記優先順位に従い前記配信先毎の配信順位を決定し、前回のメッセージ送信の成功・失敗に応じて送信抑止時間を決定して、前記メッセージ送信手段による前記安否情報の送信が成功するまで送信を繰り返す安否情報配信制御手段と、
を備える１以上の安否情報配信サーバと、
を備えることを特徴とする安否情報配信システム。
【請求項５】
１以上の安否情報の配信先である安否情報配信サーバとそれぞれの配信先に対する配信の優先順位とを利用者に登録させる配信先・優先順位情報登録手段と、
前記配信先と前記優先順位とを格納する配信先・優先順位情報格納手段と、
緊急情報を同報受信する緊急情報受信手段と、
緊急情報受信時に前記配信先に安否情報を配信するか否か等を利用者に選択させる利用者確認手段と、
前記安否情報を前記配信先に送信することを試みるメッセージ送信手段と、
前記優先順位に従い前記配信先毎の配信順位を決定し、前回のメッセージ送信の成功・失敗に応じて送信抑止時間を決定して、前記メッセージ送信手段による前記安否情報の送信が成功するまで送信を繰り返す安否情報配信制御手段と、
を備える１以上の安否情報配信装置と、
安否情報配信装置から前記安否情報を受信するメッセージ受信手段と、
前期安否情報を格納する安否情報格納手段と、
安否情報の検索要求を受信して、検索結果を送信する安否情報検索応答手段と、
を備える１以上の安否情報配信サーバと、
を備えることを特徴とする安否情報配信システム。
【請求項６】
他の安否情報配信装置から安否情報を受信し、前記安否情報を表示し、前記安否情報中に埋め込まれた未送信の次の配信先リストから先頭の配信先を削除した第２の安否情報を作成し、前記先頭の配信先に前記第２の安否情報を転送するメッセージ受信・表示・転送手段
を更に備えることを特徴とする請求項１記載の安否情報配信装置。
【発明の詳細な説明】
【技術分野】
【０００１】
本発明は、緊急事態発生時に安否情報を配信する技術分野に関する。
【背景技術】
【０００２】
大規模な緊急事態発生時に通信端末利用者の安否情報をその利用者の関係者に配信するものとして、例えば、特許文献１に安否情報送信方法が開示されている。この特許文献１に開示された安否情報送信方法では、通信端末が、その利用者の自宅で検知された地震の震度情報を受信し、それとは別にサーバから広域地震情報を受信する。通信端末は、自宅の震度と広域地震情報に含まれる震度との比較により安否情報配信の重要性を判断して、利用者の安否情報を送信するか否かを利用者に選択させるための画面を表示するか否かを決定できる。利用者が画面で送信することを選択すると、通信端末は利用者の安否情報を予め設定された連絡先に送信する。一方、利用者が画面で送信しないことを選択すると、通信端末は利用者の安否情報を送信しない。
【先行技術文献】
【特許文献】
【０００３】
【特許文献１】特開２００７−１２８３９８号公報
【発明の概要】
【発明が解決しようとする課題】
【０００４】
しかし、特許文献１に開示されている安否情報送信方法には、通信端末の利用者が震度の大きな地域にいた場合、その安否情報送信方法をとる通信端末が多数を占めた場合に、安否情報を配信するトラヒックが高くなり輻輳が発生するという問題点がある。その理由を説明する。通信端末の利用者が震度の大きな地域にいた場合、まず、通信端末は利用者の安否情報を送信するか否かを利用者に確認させるための画面を表示することを決定する可能性が高い。次に、利用者は遅滞無く安否情報を送信することを選択する可能性が高い。これらの結果、それらの通信端末のうちの多数は、利用者の安否情報を集中したタイミングで送信するので、震度の大きな地域を収容するネットワークやメールサーバ等で輻輳が発生する可能性が高い。
【０００５】
また、特許文献１に開示された安否情報送信方法には、そのような輻輳状態や、その対策として通信規制が実施された状態では、安否情報送信が失敗する可能性が高いという問題点もあった。
【０００６】
本発明の目的は、上記した課題である、通信端末が緊急情報の同報配信（以下、放送による配信を含む）を受信したとき、通信端末利用者の安否情報をその通信端末利用者の関係者に配信する場合において、緊急事態が発生した地域を収容するネットワークやメールサーバ等において安否情報を配信するトラヒックが高くなり輻輳が発生するという問題点と、輻輳や通信規制の発生時において安否情報送信が失敗する可能性が高いという問題点とを解決した安否情報配信装置、安否情報配信方法、安否情報配信システム、及び、安否情報配信プログラムを提供することにある。
【課題を解決するための手段】
【０００７】
本発明の安否情報配信装置は、１以上の安否情報の配信先とそれぞれの配信先に対する配信の優先順位とを利用者に登録させる配信先・優先順位情報登録手段と、前記配信先と前記優先順位とを格納する配信先・優先順位情報格納手段と、緊急情報を同報受信する緊急情報受信手段と、前記配信先に安否情報を配信するか否か等を利用者に選択させる利用者確認手段と、前記安否情報を前記配信先に送信することを試みるメッセージ送信手段と、前記優先順位に従い前記配信先毎の配信順位を決定し、前回のメッセージ送信の成功・失敗に応じて送信抑止時間を決定して、前記メッセージ送信手段による前記安否情報の送信が成功するまで送信を繰り返す安否情報配信制御手段と、を備えることを特徴とする。
【０００８】
本発明の安否情報配信方法は、１以上の安否情報の配信先とそれぞれの配信先に対する配信の優先順位とを利用者に登録させる配信先・優先順位情報登録ステップと、前記配信先と前記優先順位とを格納する配信先・優先順位情報格納ステップと、緊急情報を同報受信する緊急情報受信ステップと、前記配信先に安否情報を配信するか否か等を利用者に選択させる利用者確認ステップと、前記安否情報を前記配信先に送信することを試みるメッセージ送信ステップと、前記優先順位に従い前記配信先毎の配信順位を決定し、前回のメッセージ送信の成功・失敗に応じて送信抑止時間を決定して、前記メッセージ送信ステップによる前記安否情報の送信が成功するまで送信を繰り返す安否情報配信制御ステップと、を含むことを特徴とする。
【０００９】
本発明の安否情報配信プログラムは、１以上の安否情報の配信先とそれぞれの配信先に対する配信の優先順位とを利用者に登録させる配信先・優先順位情報登録手順と、前記配信先と前記優先順位とを格納する配信先・優先順位情報格納手順と、緊急情報を同報受信する緊急情報受信手順と、前記配信先に安否情報を配信するか否か等を利用者に選択させる利用者確認手順と、前記安否情報を前記配信先に送信することを試みるメッセージ送信手順と、前記優先順位に従い前記配信先毎の配信順位を決定し、前回のメッセージ送信の成功・失敗に応じて送信抑止時間を決定して、前記メッセージ送信手順による前記安否情報の送信が成功するまで送信を繰り返す安否情報配信制御手順と、をコンピュータに実行させることを特徴とする。
【００１０】
本発明の安否情報配信システムは、１以上の安否情報の配信先とそれぞれの配信先に対する配信の優先順位とを利用者に登録させる配信先・優先順位情報登録手段と、緊急情報を同報受信する緊急情報受信手段と、緊急情報受信時に前記配信先に安否情報を配信するか否か等を利用者に選択させる利用者確認手段と、前記安否情報を安否情報配信サーバに送信することを試みるメッセージ送信手段と、前回のメッセージ送信の成功・失敗に応じて送信抑止時間を決定して、前記メッセージ送信手段による前記安否情報の送信が成功するまで送信を繰り返す安否情報配信制御手段と、を備える１以上の安否情報配信装置と、安否情報配信装置から前記安否情報を受信するメッセージ受信手段と、前記配信先と前記優先順位とを格納する配信先・優先順位情報格納手段と、前記安否情報を前記配信先に送信することを試みるメッセージ送信手段と、前記優先順位に従い前記配信先毎の配信順位を決定し、前回のメッセージ送信の成功・失敗に応じて送信抑止時間を決定して、前記メッセージ送信手段による前記安否情報の送信が成功するまで送信を繰り返す安否情報配信制御手段と、を備える１以上の安否情報配信サーバと、を備えることを特徴とする。
【００１１】
本発明の安否情報配信システムは、１以上の安否情報の配信先である安否情報配信サーバとそれぞれの配信先に対する配信の優先順位とを利用者に登録させる配信先・優先順位情報登録手段と、前記配信先と前記優先順位とを格納する配信先・優先順位情報格納手段と、緊急情報を同報受信する緊急情報受信手段と、緊急情報受信時に前記配信先に安否情報を配信するか否か等を利用者に選択させる利用者確認手段と、前記安否情報を前記配信先に送信することを試みるメッセージ送信手段と、前記優先順位に従い前記配信先毎の配信順位を決定し、前回のメッセージ送信の成功・失敗に応じて送信抑止時間を決定して、前記メッセージ送信手段による前記安否情報の送信が成功するまで送信を繰り返す安否情報配信制御手段と、を備える１以上の安否情報配信装置と、安否情報配信装置から前記安否情報を受信するメッセージ受信手段と、前期安否情報を格納する安否情報格納手段と、安否情報の検索要求を受信して、検索結果を送信する安否情報検索応答手段と、を備える１以上の安否情報配信サーバと、を備えることを特徴とする。
【発明の効果】
【００１２】
本発明によれば、通信端末が緊急情報の同報配信を受信したとき、通信端末利用者の安否情報をその通信端末利用者の関係者に配信する場合において、緊急事態が発生した地域を収容するネットワークやメールサーバ等において、安否情報を配信するトラヒックを低減して輻輳の発生を抑制することと、輻輳や通信規制の発生時において安否情報送信が失敗する可能性を低減することとが可能となる。
【図面の簡単な説明】
【００１３】
【図１】本発明の第１の実施形態における安否情報配信システムの概略の構成と安否情報配信装置及び通信端末の構成を示すブロック図である。
【図２】本発明の第１の実施形態における配信先・優先順位情報登録手段の動作を説明するフローチャートである。
【図３】本発明の第１の実施形態における配信先・優先順位情報格納手段が有する配信先・優先順位テーブルの一例を示す図である。
【図４】本発明の第１の実施形態における利用者確認手段の動作を説明するフローチャートである。
【図５】本発明の第１の実施形態における利用者確認手段の画面の一例を示す図である。
【図６】本発明の第１の実施形態における利用者確認手段が有する安否情報テーブルの一例を示す図である。
【図７】本発明の第１の実施形態における配信先・優先順位情報格納手段が有する配信先・優先順位テーブルの一例を示す図である。
【図８】本発明の第１の実施形態における安否情報配信制御手段の動作を説明するフローチャートである。
【図９】本発明の第２の実施形態における安否情報配信システムの概略の構成、並びに、安否情報配信装置、安否情報配信サーバ及び通信端末の構成を示すブロック図である。
【図１０】本発明の第３の実施形態における安否情報配信システムの概略の構成と安否情報配信装置の構成を示すブロック図である。
【図１１】本発明の第３の実施形態における安否情報の一例を示す図である。
【発明を実施するための形態】
【００１４】
以下、本発明の実施形態について図面を参照して詳細に説明する。なお、すべての図面において、同様な構成要素には同様の符号を付し、適宜説明を省略する。
（第１の実施形態）
図１は、本発明の第１の実施形態における安否情報配信システムの概略の構成と安否情報配信装置１００及び通信端末８００の構成を示すブロック図である。
【００１５】
図１に示す安否情報配信システムは、情報配信元１と、同報配信装置３と、無線基地局５と、移動体通信網９と、１以上の安否情報配信装置１００と、１以上の通信端末８００とを備えている。なお、ここでは、１個の安否情報配信装置１００と、１個の通信端末８００とが代表として示されている。また、情報配信元１と、同報配信装置３と、通信端末８００とが、移動体通信網９に直接接続した構成を図示しているが、これらは、別のネットワークを経由して移動体通信網９に接続しても良い。
【００１６】
情報配信元１は、緊急情報を作成する装置である。なお、緊急情報には、例えば、緊急地震速報、津波警報、噴火警報、気象警報、有事関連情報等が含まれる。
【００１７】
同報配信装置３は、移動体通信網に存在する無線通信端末への同報配信を受け付ける装置である。同報配信装置３は、移動体通信網に含まれる場合もあるが、ここでは、１個の同報配信装置を移動体通信網全体とは別に例示している。なお、緊急情報の配信方式には、例えば、ＣＢＳ（Ｃｅｌｌ  Ｂｒｏａｄｂａｓｔ  Ｓｅｒｖｉｃｅ）、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）、Ｂｒｏａｄｃａｓｔ  ＳＭＳ（Ｓｈｏｒｔ  Ｍｅｓｓａｇｅ  Ｓｅｒｖｉｃｅ）、デジタルテレビ放送、デジタルラジオ放送、デジタル衛星放送等が含まれる。
【００１８】
無線基地局５は、移動体通信網に存在する無線通信端末と、別の通信端末との間の通信を中継する、無線通信装置である。無線基地局５は、移動体通信網に含まれる装置であるが、ここでは、１個の無線基地局を移動体通信網全体とは別に例示している。
【００１９】
移動体通信網９は、無線通信端末と別の通信端末との通信を中継する通信網である。移動体通信網９は、コアネットワークと無線アクセスネットワークとを含む。なお、移動体通信の方式には、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＣＤＭＡ２０００、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、その他の無線通信方式等が含まれる。
【００２０】
安否情報配信装置１００は、緊急情報を受信し、他の通信端末へ安否情報を配信する、移動体通信網に存在する無線通信端末である。
【００２１】
通信端末８００は、メッセージの受信ができる、無線通信端末、または、有線通信端末である。
【００２２】
図１に示す安否情報配信装置１００は、配信先・優先順位情報登録手段１１０と、配信先・優先順位情報格納手段１２０と、緊急情報受信手段１３０と、利用者確認手段１４０と、安否情報配信制御手段１７０と、メッセージ送信手段１９０とを備えている。
【００２３】
配信先・優先順位情報登録手段１１０は、利用者毎に、１以上の安否情報の配信先（通信端末８００等）とそれぞれの配信先に対する配信の優先順位とを利用者に入力させ、それらを配信先・優先順位情報格納手段１２０に格納させる手段である。
【００２４】
配信先・優先順位情報格納手段１２０は、安否情報の配信先とそれぞれの配信先に対する配信の優先順位とを格納する手段である。
【００２５】
緊急情報受信手段１３０は、緊急情報を受信する手段である。なお、緊急情報の配信方式には、例えば、ＣＢＳ、ＥＴＷＳ、Ｂｒｏａｄｃａｓｔ  ＳＭＳ、デジタルテレビ放送、デジタルラジオ放送、デジタル衛星放送等が含まれる。
【００２６】
利用者確認手段１４０は、緊急情報受信時に、利用者毎に、安否情報を配信するか否か等を利用者に入力させ、その内容を配信先・優先順位情報格納手段１２０に格納させ、安否情報を作成して保持する手段である。
【００２７】
安否情報配信制御手段１７０は、予め登録された安否情報の配信先及びそれぞれの配信先に対する配信の優先順位、並びに、安否情報を配信するか否か等に関する利用者の入力等に従い、他の通信端末への安否情報の配信制御を行う手段である。
【００２８】
メッセージ送信手段１９０は、移動体通信網を経由して、他の通信端末へメッセージを送信する手段である。なお、メッセージ送信に利用する通信方式には、ＳＭＳ（Ｓｈｏｒｔ  Ｍｅｓｓａｇｅ  Ｓｅｒｖｉｃｅ）、電子メール、ＨＴＴＰ（ＨｙｐｅｒＴｅｘｔ  Ｔｒａｎｓｆｅｒ  Ｐｒｏｔｏｃｏｌ）等が含まれる。
【００２９】
図１に示す通信端末８００は、メッセージ受信・表示手段８１０を備えている。
【００３０】
メッセージ受信・表示手段８１０は、安否情報配信装置１００を含む他の通信端末からのメッセージを受信し、受信したメッセージを通信端末の利用者に対し表示する手段である。なお、メッセージ受信・表示手段８１０には、安否情報に特化しない一般的な、メッセージ、メール、Ｗｅｂコンテンツ等の受信・表示手段が含まれる。また、利用する通信方式には、ＳＭＳ、電子メール、ＨＴＴＰ等が含まれる。
【００３１】
次に、本発明の第１の実施形態の動作を説明する。
【００３２】
配信先・優先順位情報登録手段１１０は、予め利用者に安否情報の配信先を登録させる。安否情報の配信先は１以上の通信端末であってもよい。例えば、安否情報の配信先の一つが、通信端末８００であった場合について説明する。通信端末８００は、安否情報の配信先として、配信先・優先順位情報登録手段１２０に登録される。
【００３３】
情報配信元１は、緊急事態が発生すると、緊急情報を作成し、同報配信装置３に緊急情報を送信する。
【００３４】
同報配信装置３は、情報配信元１から緊急情報を受信すると、その影響が及ぶ地域に含まれるすべての無線通信端末（例えば、安否情報配信装置１００）に緊急情報の同報配信を行う。
【００３５】
次に、安否情報配信装置１００の動作を説明する。
【００３６】
緊急情報受信手段１３０は、緊急情報を受信すると、利用者確認手段１４０に緊急情報を渡す。
【００３７】
利用者確認手段１４０は、緊急情報を受け取ると、予め登録した配信先に安否情報を配信するか否か等を利用者に選択させる。利用者確認手段１４０は、利用者が送信することを選択すると、利用者毎に安否情報を作成して、それを保持する。また、利用者確認手段１４０は、それぞれの利用者に対する安否情報配信の可否等を配信先・優先順位情報格納手段１２０に格納させる。
【００３８】
安否情報配信制御手段１７０は、配信先・優先順位情報格納手段１２０に格納された安否情報の配信先とそれぞれの配信先に対する配信の優先順位、及び、それぞれの配信先に対する安否情報配信の可否等に従い、配信先毎の配信順位を決定する。安否情報配信制御手段１７０は、送信抑止時間を決定して、その時間送信を抑止した後、メッセージ送信手段１９０による安否情報の送信を試みる。安否情報配信制御手段１７０は、過去のメッセージ送信の成功・失敗等に応じて送信抑止時間を更新して、配信すべき安否情報の送信がすべて成功するまで、安否情報の送信を繰り返す。
【００３９】
次に、通信端末８００の動作を説明する。
【００４０】
メッセージ受信・表示手段８１０は、メッセージを受信すると、その内容を通信端末８００の画面等に表示する。
【００４１】
図２は、本発明の第１の実施形態における配信先・優先順位情報登録手段１１０の動作を説明するフローチャートである。
【００４２】
配信先・優先順位情報登録手段１１０は、安否情報配信装置１００の利用者が複数存在する場合には、すべての利用者について処理を繰り返す（ステップＡ１０からＡ５０）。利用者が１人の場合には、繰り返しは不要である。なお、利用者が複数存在する場合とは、１台の安否情報配信装置１００を複数人で共有して使う場合や、安否情報配信装置１００の一人の利用者が他の人（例えば、家族等）の安否情報を代理で配信する場合を想定している。
【００４３】
配信先・優先順位情報登録手段１１０は、利用者を追加する場合には、利用者名を利用者に入力させる（ステップＡ２０）。利用者名は、氏名、電話番号、ＳＭＳアドレス、電子メールアドレス、利用者のその他のＩＤ、または、これらの組み合わせを含んでもよい。
【００４４】
配信先・優先順位情報登録手段１１０は、ある利用者について、その安否情報を配信したい配信先と、その配信先への配信の優先順位とを利用者に入力させる（ステップＡ３０）。配信先は、複数であってよい。配信先は、電話番号、ＳＭＳアドレス、電子メールアドレス、配信先のその他のＩＤ、または、これらの組み合わせを含んでもよい。
【００４５】
配信先・優先順位情報登録手段１１０は、利用者が入力した情報を配信先・優先順位情報格納手段１２０に格納する（ステップＡ４０）。なお、配信先・優先順位情報登録手段１１０は、利用者には配信先への配信の優先順位を入力させず、利用者が入力した配信先の順序を優先順位とみなして、配信先・優先順位情報格納手段１２０に格納してもよい。
【００４６】
図３は、本発明の第１の実施形態における配信先・優先順位情報格納手段１２０が有する配信先・優先順位情報等を格納した配信先・優先順位テーブルの一例を示す図である。
【００４７】
配信先・優先順位テーブルは、利用者名と配信先の組毎に１行のレコードを持つ。配信先・優先順位テーブルの各レコードは、利用者名、配信先、優先順位、配信状態、メッセージ番号等を保持する。ここでは、利用者Ａの安否情報の配信先としてＢ、Ｃ、Ｄ、Ｅが、それぞれ優先度１、２、３、４で格納され、利用者Ｆの安否情報の配信先としてＧ、Ｈ、Ｉが、それぞれ優先度１、２、３で格納され、利用者Ｊの安否情報の配信先としてＫが、優先度１で格納されている例を示している。また、配信状態とメッセージ番号とは空欄になっている。
【００４８】
図４は、本発明の第１の実施形態における利用者確認手段１４０の動作を説明するフローチャートである。
【００４９】
利用者確認手段１４０は、緊急情報受信手段１３０による緊急情報の受信を監視し（ステップＣ１０）、受信すると以下の処理を開始する（ステップＣ１０のＹｅｓ）。
【００５０】
利用者確認手段１４０は、利用者が複数存在する場合には、すべての配信可否が未定（配信先・優先順位テーブルにおいて、配信状態が空欄）の利用者について処理を繰り返す（ステップＣ２０からＣ７０）。
【００５１】
利用者確認手段１４０は、ある利用者について、予め登録した配信先に安否情報を配信するか否か等を利用者に選択させる（ステップＣ３０）。
【００５２】
利用者確認手段１４０は、利用者が配信することを選択すると（ステップＣ４０のＹｅｓ）、その配信先に対する安否情報を作成し、その安否情報の配信の予約を登録（配信先・優先順位テーブルにおいて、配信状態を「予約」にする）する（ステップＣ５０）。利用者確認手段１４０は、利用者が配信しないことを選択すると（ステップＣ４０のＮｏ）、その配信先に対する安否情報の配信の中止を登録（配信先・優先順位テーブルにおいて、配信状態を「中止」にする）する（ステップＣ６０）。利用者確認手段１４０は、利用者が配信の保留を選択すると、その配信先に対する安否情報の配信の可否を後に再度確認する（ステップＣ４０の保留）。
【００５３】
図５は、本発明の第１の実施形態における利用者確認手段１４０が表示する画面の一例を示す図である。
【００５４】
ここでは、利用者確認手段１４０が、利用者Ａについて予め登録された配信先への安否情報の配信の可否を利用者に選択させており、利用者は「はい」、「いいえ」または「後で」のいずれかを選択できる。なお、安否情報の配信の可否の選択と同時に、利用者にメッセージを入力させたり、定型文や事前登録した文のリストを選択させても良い。ここでは、付加的なメッセージとして、「無事」か「要救助」を選択できる例を示している。
【００５５】
図６は、本発明の第１の実施形態における利用者確認手段１４０が有する安否情報テーブルの一例を示す図である。
【００５６】
安否情報テーブルは、利用者毎に１行のレコードを持つ。安否情報テーブルの各レコードは、メッセージ番号、利用者名、メッセージ等を保持する。例えば、図３で一例に示した配信先・優先順位情報を格納した配信先・優先順位テーブルの内容が登録されていた場合、図４で示した利用者確認手段１４０の動作を説明するフローチャートにおいて、利用者Ａ及びＦについては予め登録された配信先への安否情報の配信を選択し、利用者Ｊについては予め登録された配信先への安否情報の配信中止を選択した状態を示している。また、図５に示した、利用者確認手段１４０が表示する画面の一例において、利用者Ａについては「無事」の、利用者Ｆについては「要救助」の付加的なメッセージを選択した場合の例を示している。
【００５７】
図７は、本発明の第１の実施形態における配信先・優先順位情報格納手段１２０が有する配信先・優先順位テーブルの一例を示す図である。
【００５８】
例えば、図３で一例に示した配信先・優先順位情報を格納した配信先・優先順位テーブルの内容が登録されていた場合、図４で示した利用者確認手段１４０の動作を説明するフローチャートにおいて、利用者Ａ及びＦについては予め登録された配信先への安否情報の配信を選択し、利用者Ｊについては予め登録された配信先への安否情報の配信中止を選択した状態を示している。利用者Ａ及びＦについては「配信状態」に「予約」の値が設定され、利用者Ｊについては「配信状態」に「中止」の値が設定されている。また、図５に示した、利用者確認手段１４０が表示する画面の一例において、利用者Ａについては「無事」の、利用者Ｆについては「要救助」の付加的なメッセージを選択した場合の例を示している。利用者Ａについては「メッセージ番号」に「１」の値が設定され、利用者Ｆについては「メッセージ番号」に「２」の値が設定されている。ここで、「メッセージ番号」は、図６に示した安否情報テーブルのレコードを示す番号である。
【００５９】
図８は、本発明の第１の実施形態における安否情報配信制御手段１７０の動作を説明するフローチャートである。
【００６０】
安否情報配信制御手段１７０は、配信先・優先順位テーブルに存在するすべての利用者について並列に以下の処理を実行する。
安否情報配信制御手段１７０は、利用者毎に送信抑止時間の初期値を決定する（ステップＦ１５）。例えば、初期の送信タイミングを１０分間に分散させたい場合には、利用者毎に送信抑止時間を０秒から６００秒の間でランダムに決定してもよい。または、すべての利用者について０秒に決定しても良い。
【００６１】
次に、安否情報配信制御手段１７０は、配信先・優先順位テーブルを参照して、未配信の安否情報の有無（配信先・優先順位テーブルにおいて、「配信状態」が「予約」ならば未配信のレコード）を確認する（ステップＦ２０）。
【００６２】
安否情報配信制御手段１７０は、未配信の安否情報が存在する場合には（ステップＦ２５のＹｅｓ）、すべての優先度について優先度１から最下位の優先度まで順に以下の処理を繰り返す（ステップＦ３０からＦ７０）。
【００６３】
まず、安否情報配信制御手段１７０は、利用者毎の送信抑止時間を待って（ステップＦ３５）、メッセージ送信手段１９０により安否情報の送信を試みる（ステップＦ４０）。
【００６４】
送信が成功すると（ステップＦ４５のＹｅｓ）、安否情報配信制御手段１７０は、その安否情報を送信済みに設定（配信先・優先順位テーブルにおいて、その安否情報の「配信状態」を「送信済」にする）する（ステップＦ５０）。続いて、安否情報配信制御手段１７０は、利用者毎の送信抑止時間を短縮する（ステップＦ５５）。例えば、下限０秒の範囲内で送信抑止時間を現在の送信抑止時間の半分に更新しても良い。なお、送信抑止時間の上限、下限や変更量はネットワークの輻輳状況に応じて動的に変更しても良い。または、送信抑止時間をすべての利用者について、例えば３００秒に決定しても良い。
【００６５】
一方、送信が失敗すると（ステップＦ４５のＮｏ）、安否情報配信制御手段１７０は、利用者毎の送信抑止時間を延長する（ステップＦ６５）。例えば、下限１秒と上限３６００秒の範囲内で送信抑止時間を現在の送信抑止時間の２倍に更新しても良い。なお、送信抑止時間の上限、下限や変更量はネットワークの輻輳状況に応じて動的に変更しても良い。または、すべての利用者について送信抑止時間を例えば３００秒に更新しても良い。
【００６６】
安否情報配信制御手段１７０は、送信予約済みの安否情報の送信が成功するまで送信を繰り返す。すべての優先度について処理が終了すると、未配信の安否情報の有無の確認に戻る（ステップＦ２０）。なお、各安否情報の処理が終わったタイミングで、一旦、優先順位のループを抜けて、未配信の安否情報の有無の確認（ステップＦ２０）に戻っても良い。
【００６７】
以上説明したように、本発明の第１の実施形態における、安否情報配信装置１００は、緊急情報の同報配信を受信したとき、通信端末利用者の安否情報を配信する場合において、緊急事態が発生した地域を収容するネットワークやメールサーバ等の輻輳の抑制に寄与することができる。その理由は、安否情報配信装置１００が、ある宛先に対する前回の安否情報の送信を、送信抑止時間を待ってから送信するからである。なお、ある宛先に対する安否情報の送信抑止時間の初期値をある範囲内でランダムに設定することにより、最初の安否情報の送信のタイミングが分散されるので、最初の安否情報の送信においても、輻輳の抑制に寄与することができる。
【００６８】
また、本発明の第１の実施形態における、安否情報配信装置１００は、緊急情報の同報配信を受信したとき、通信端末利用者の安否情報を配信する場合において、輻輳や通信規制の発生時においても安否情報配信の確実性を確保できる。その理由は、安否情報配信装置１００が、ある宛先に対する安否情報の送信を、それが成功するまで繰り返すからである。
（第２の実施形態）
図９は、本発明の第２の実施形態における安否情報配信システムの概略の構成と安否情報配信装置１０５、安否情報配信サーバ５００及び通信端末８０５の構成を示すブロック図である。
【００６９】
図９に示す安否情報配信システムは、情報配信元１と、同報配信装置３と、無線基地局５と、移動体通信網９と、１以上の安否情報配信装置１０５と、１以上の安否情報配信サーバ５００と、１以上の通信端末８０５とを備えている。なお、ここでは、１個の安否情報配信装置１０５と、１個の安否情報配信サーバ５００と、１個の通信端末８０５とが代表として例示されている。また、情報配信元１と、同報配信装置３と、安否情報配信サーバ５００と、通信端末８０５とが、移動体通信網９に直接接続した構成を図示しているが、これらは、別のネットワークを経由して移動体通信網９に接続しても良い。
【００７０】
安否情報配信装置１０５は、緊急情報を受信し、他の通信端末へ安否情報を配信する、移動体通信網に存在する無線通信端末である。
【００７１】
安否情報配信サーバ５００は、安否情報配信装置から安否情報を受信し、その安否情報を他の通信端末へ配信し、または、ある通信端末から安否情報検索要求を受信して、その通信端末へ安否情報を送信する、無線通信端末、または、有線通信端末である。
【００７２】
通信端末８０５は、メッセージの受信と、安否情報の検索とができる、無線通信端末、または、有線通信端末である。
【００７３】
安否情報配信装置１０５は、配信先・優先順位情報登録手段１１５と、配信先・優先順位情報格納手段１２０と、緊急情報受信手段１３０と、利用者確認手段１４０と、安否情報配信制御手段１７０と、メッセージ送信手段１９０とを備えている。
【００７４】
配信先・優先順位情報登録手段１１５は、利用者毎に、通信端末または安否情報配信サーバである１以上の安否情報の配信先（通信端末８０５、安否情報配信サーバ５００等）とそれぞれの配信先に対する配信の優先順位とを利用者に通信端末と安否情報配信サーバとを区別して入力させ、安否情報配信サーバについては配信先・優先順位情報格納手段１２０に格納させ、通信端末については配信先・優先順位情報格納手段５２０に格納させる手段である。
【００７５】
安否情報配信サーバ５００は、配信先・優先順位情報格納手段５２０と、メッセージ受信手段５３０と、安否情報格納手段５４０と、安否情報配信制御手段５７０と、安否情報検索応答手段５８０と、メッセージ送信手段５９０とを備えている。
【００７６】
配信先・優先順位情報格納手段５２０は、安否情報の配信先とそれぞれの配信先に対する配信の優先順位とを格納する手段である。
【００７７】
メッセージ受信手段５３０は、安否情報配信装置１０５を含む他の通信端末からの安否情報を含むメッセージを受信する手段である。なお、メッセージ受信手段５３０には、安否情報に特化しない一般的な、メッセージ、メール、Ｗｅｂコンテンツ等の受信手段が含まれる。また、利用する通信方式には、ＳＭＳ、電子メール、ＨＴＴＰ等が含まれる。
【００７８】
安否情報格納手段５４０は、メッセージ受信手段５３０を経由して安否情報配信装置１０５から受信した安否情報を保持し、その安否情報を配信する旨の情報を配信先・優先順位情報格納手段５２０に格納させる手段である。
【００７９】
安否情報検索応答手段５８０は、通信端末８０５を含む他の通信端末から安否情報の検索要求を受信し、その他の通信端末へ検索結果を送信する手段である。なお、安否情報検索応答手段５８０には、安否情報に特化しない一般的な、メッセージ、メール、Ｗｅｂコンテンツ等の送受信手段が含まれる。また、利用する通信方式には、ＳＭＳ、電子メール、ＨＴＴＰ等が含まれる。
【００８０】
配信先・優先順位情報格納手段５２０と、安否情報配信制御手段５７０と、メッセージ送信手段５９０とは、それぞれ、第１の実施形態における、配信先・優先順位情報格納手段１２０と、安否情報配信制御手段１７０、メッセージ送信手段１９０と、同様の機能を持つ手段である。
【００８１】
通信端末８０５は、メッセージ受信・表示手段８１０と、安否情報検索・表示手段８８０とを備えている。
【００８２】
安否情報検索・表示手段８８０は、安否情報配信サーバ５００等に安否情報の検索要求を送信し、受信した安否情報の検索結果を通信端末の利用者に対し表示する手段である。なお、安否情報検索・表示手段８８０には、安否情報に特化しない一般的な、メッセージ、メール、Ｗｅｂコンテンツ等の受信・表示手段が含まれる。また、利用する通信方式には、ＳＭＳ、電子メール、ＨＴＴＰ等が含まれる。
【００８３】
本発明の第２の実施形態において、上記以外は第１の実施形態と同様の構成を有する。よって、第１の実施形態と同一の構成要素には同一参照数字を付記してその説明を省略する。
【００８４】
次に、本発明の第２の実施形態の動作を説明する。
【００８５】
本発明の第２の実施形態においては、安否情報の配信先は、１以上の安否情報配信サーバまたは１以上の通信端末であってもよい。例えば、安否情報の配信先の一つが通信端末８０５であり、安否情報の別の配信先の一つである安否情報配信サーバ５００を経由して、安否情報を配信する場合について説明する。
【００８６】
第２の実施形態における情報配信元１、同報配信装置３の動作は、第１の実施形態における動作と同様であるので、その説明を省略する。
【００８７】
次に、安否情報配信装置１０５の動作を説明する。
【００８８】
配信先・優先順位情報登録手段１１５は、予め利用者に安否情報の配信先を登録させる。通信端末８０５は、安否情報の配信先として、配信先・優先順位情報登録手段５２０に登録される。安否情報配信サーバ５００は、安否情報の配信先として、配信先・優先順位情報登録手段１２０に登録される。
【００８９】
本発明の第１の実施形態における配信先・優先順位情報登録手段１１０の動作を説明する図２のフローチャートを流用して、第２の実施形態における配信先・優先順位情報登録手段１１５の動作との違いについて説明する。
【００９０】
配信先・優先順位情報登録手段１１５は、ある利用者について、その安否情報を配信したい配信先と、その配信先への配信の優先順位とを利用者に入力させる（ステップＡ３０に対応）。ここで、配信先・優先順位情報登録手段１１５は、配信先として、通信端末と安否情報配信サーバを区別して、利用者に入力させる。なお、配信先として複数の安否情報配信サーバを登録すると、トラフィックは増加する一方で、安否情報配信サーバの冗長化により安否情報配信をより確実にする効果がある。
【００９１】
配信先・優先順位情報登録手段１１５は、利用者が入力した配信先が安否情報配信サーバならば、配信先・優先順位情報格納手段１２０に格納させ、配信先が通信端末ならば、安否情報配信サーバ５００の配信先・優先順位情報格納手段５２０に格納させる（ステップＡ４０に対応）。ここで、配信先・優先順位情報格納手段５２０に格納させる場合には、配信先・優先順位情報登録手段１１５は、メッセージ送信手段１９０を経由して登録内容を送信する。配信先・優先順位情報格納手段５２０は、メッセージ受信手段５３０を経由して、登録内容を受信する。
【００９２】
その他のステップは、第１の実施形態と同様であるので、その説明を省略する。
【００９３】
その他の第２の実施形態における安否情報配信装置１０５の動作は、第１の実施形態における安否情報配信装置１００の動作と同様であるので、その説明を省略する。
【００９４】
次に、安否情報配信サーバ５００の動作を説明する。
【００９５】
メッセージ受信手段５３０は、ある利用者に関する安否情報を受信すると、安否情報格納手段５４０に安否情報を渡す。
【００９６】
安否情報格納手段５４０は、ある利用者に関する安否情報を受け取ると、それを保持する。また、安否情報格納手段５４０は、その利用者に関するすべての配信先（通信端末８０５）に対する安否情報配信を可否の情報等を配信先・優先順位情報格納手段５２０に格納させる。
【００９７】
安否情報検索応答手段５８０は、安否情報格納手段５４０が保持する安否情報から、ある利用者の安否情報を検索して、検索結果を安否情報検索・表示手段８８０に送信する。
【００９８】
その他の第２の実施形態における安否情報配信サーバ５００の動作は、第１の実施形態における安否情報配信１００の動作と同様であるので、その説明を省略する。
【００９９】
次に、通信端末８０５の動作を説明する。
【０１００】
通信端末８０５が、ある利用者の安否情報の配信先に登録されていない場合には、安否情報検索・表示手段８８０は、安否情報検索応答手段５８０に安否情報検索要求を送信する。安否情報検索・表示手段８８０は、受信した検索結果を通信端末８０５の画面等に表示する。
【０１０１】
なお、安否情報配信装置１０５の利用者確認手段１４０が、図４のステップＣ３０において、利用者に付加的なメッセージとして、「無事」か「要救助」を選択させる場合、この選択によって利用者毎の安否情報配信の優先順位を変更しても良い。例えば、安否情報配信サーバ５００の安否情報配信制御手段５７０は、利用者を安否情報に「要救助」である旨が含まれている利用者のグループと、安否情報に「無事」である旨が含まれている利用者のグループとの２個に分ける。安否情報配信サーバ５００の安否情報配信制御手段５７０は、図８で説明した処理を配信先・優先順位テーブルに存在するすべての利用者について並列に実行するが、ここで、前者のグループに対する処理を後者のグループに対する処理に優先して実行してもよい。これにより、緊急に救助の必要な利用者の安否情報を優先して配信できる。
【０１０２】
その他の第２の実施形態における通信端末８０５の動作は、第１の実施形態における通信端末８００の動作と同様であるので、その説明を省略する。
【０１０３】
以上説明したように、本発明の第２の実施形態における、安否情報配信装置１０５は、緊急情報の同報配信を受信したとき、通信端末利用者の安否情報を配信する場合において、緊急事態が発生した地域を収容するネットワークやメールサーバ等の輻輳の抑制に寄与することができる。その理由は、安否情報配信装置１０５が、ある宛先に対する前回の安否情報の送信を、送信抑止時間を待ってから送信するからである。安否情報の配信先が複数の通信端末を含む場合には、安否情報配信装置１０５は、複数の通信端末に安否情報を個別に配信するかわりに、安否情報配信サーバ５００に対してのみ安否情報を配信すればよいので、更にトラフィックを低減でき、より輻輳の抑制に寄与することができる。
【０１０４】
また、本発明の第２の実施形態における、安否情報配信装置１０５は、緊急情報の同報配信を受信したとき、通信端末利用者の安否情報を配信する場合において、輻輳や通信規制の発生時においても安否情報配信の確実性を確保できる。その理由は、安否情報配信サーバ５００が、ある宛先に対する安否情報の送信を、それが成功するまで繰り返すからである。
（第３の実施形態）
図１０は、本発明の第３の実施形態における安否情報配信システムの概略の構成と安否情報配信装置の構成を示すブロック図である。
【０１０５】
図１０に示す安否情報配信システムは、情報配信元１と、同報配信装置３と、無線基地局５と、移動体通信網９と、２以上の安否情報配信装置１０７等を備えている。なお、ここでは、３個の安否情報配信装置１０７、１０８、１０９が、代表として例示されている。
【０１０６】
安否情報配信装置１０７は、緊急情報を受信し、他の安否情報配信装置１０８等へ安否情報を配信し、または、他の安否情報配信装置１０８等から安否情報を受信し、その安否情報を表示し、他の安否情報配信装置１０９等へ安否情報を転送する、移動体通信網に存在する無線通信端末である。
【０１０７】
安否情報配信装置１０７は、配信先・優先順位情報登録手段１１０と、配信先・優先順位情報格納手段１２０と、緊急情報受信手段１３０と、利用者確認手段１４０と、安否情報配信制御手段１７５と、メッセージ送信手段１９０、メッセージ受信・表示・転送手段１３５とを備えている。
【０１０８】
メッセージ受信・表示・転送手段１３５は、他の安否情報配信装置１０８等から安否情報を受信し、その安否情報を安否情報配信装置１０７の画面等に表示し、安否情報中に埋め込まれた未送信の次の配信先リストから先頭の配信先を削除した安否情報を作成し、その削除したアドレス宛にその安否情報を転送する手段である。
【０１０９】
安否情報配信制御手段１７５は、本発明の第１の実施形態における安否情報配信制御手段１７０において、利用者毎の最も優先順位が高い１の配信先に限って安否情報を配信する手段である。
【０１１０】
本発明の第３の実施形態において、上記以外は第１の実施形態と同様の構成を有する。よって、第１の実施形態と同一の構成要素には同一参照数字を付記してその説明を省略する。
【０１１１】
次に、本発明の第３の実施形態の動作を説明する。
【０１１２】
図１１は、本発明の第３の実施形態における安否情報配信装置が送受信する安否情報の一例を示す図である。
【０１１３】
本発明の第３の実施形態においては、ある利用者に対して安否情報の配信先が複数存在する場合、安否情報は未配信の配信先リストと、それらの配信先のうちの１個への転送依頼を含むメッセージである。ここでは、優先順位１の配信先Ｂに対して、優先順位２、３、４の配信先Ｃ、Ｄ、Ｅへの転送依頼を含んだ利用者Ａの安否情報の一例Ｇ１０を示している。
【０１１４】
安否情報配信装置１０７の動作を説明する。
【０１１５】
メッセージ受信・表示・転送手段１３５は、他の安否情報配信装置１０８等から安否情報を受信する。次に、メッセージ受信・表示・転送手段１３５は、その安否情報を安否情報配信装置１０７の画面等に表示する。つづいて、メッセージ受信・表示・転送手段１３５は、例えば、安否情報Ｇ１０を受信すると、未送信の配信先から最も優先順位が高い配信先Ｃを削除したＣ宛の安否情報Ｇ２０を作成し、削除した配信先Ｃに対して、優先順位３、４の配信先Ｄ、Ｅへの転送依頼を含んだ安否情報Ｇ２０を送信する。なお、メッセージ受信・表示・転送手段１３５は、安否情報Ｇ２０を送信する前に、利用者にメッセージ「Ａから受信したＡの安否情報をＣに転送します」を表示し、利用者が許可を選択した場合にのみ、安否情報を送信しても良い。
【０１１６】
次に、安否情報配信装置１０７の動作を説明する。
【０１１７】
本発明の第１の実施形態における安否情報配信制御手段１７０の動作を説明する図８のフローチャートを流用して、第２の実施形態における安否情報配信制御手段１７５の動作との違いについて説明する。
【０１１８】
安否情報配信制御手段１７５は、ある利用者について、安否情報配信の優先順位が最も高い配信先に対してのみ配信を行う。つまり、ステップＦ３０からＦ７０の処理は、ある利用者について、安否情報配信の優先順位が最も高い配信先に対してのみ実行する。
【０１１９】
その他のステップは、第１の実施形態と同様であるので、その説明を省略する。
【０１２０】
その他の第３の実施形態における安否情報配信装置１０７の動作は、第１の実施形態における安否情報配信装置１００の動作と同様であるので、その説明を省略する。
【０１２１】
以上説明したように、本発明の第３の実施形態における、安否情報配信装置１０７は、緊急情報の同報配信を受信したとき、通信端末利用者の安否情報を配信する場合において、緊急事態が発生した地域を収容するネットワークやメールサーバ等の輻輳の抑制に寄与することができる。その理由は、安否情報配信装置１０７が、ある配信先に対する前回の安否情報の送信を、送信抑止時間を待ってから送信するからである。安否情報の配信先が複数の安否情報配信装置を含む場合には、安否情報配信装置１０７は、複数の安否情報配信装置個別に安否情報を配信するかわりに、１個の安否情報配信装置に対してのみ安否情報を配信すればよい。そのため、安否情報を受信する安否情報配信装置の多数が、緊急事態が発生した地域外に存在する場合には、緊急事態が発生した地域を収容するネットワークやメールサーバ等の輻輳の抑制に寄与することができる。
【０１２２】
また、本発明の第３の実施形態における、安否情報配信装置１０７は、緊急情報の同報配信を受信したとき、通信端末利用者の安否情報を配信する場合において、輻輳や通信規制の発生時においても安否情報配信の確実性を確保できる。その理由は、安否情報配信装置１０７が、優先順位１の最初の宛先に対する安否情報の送信を、それが成功するまで繰り返すからである。
【０１２３】
なお、本願発明は、上述の実施形態に限定されるものではなく、本願発明の要旨を逸脱しない範囲で種々変更、変形して実施することができる。
【符号の説明】
【０１２４】
１    情報配信元
３    同報配信装置
５    無線基地局
９    移動体通信網
１００、１０５、１０７、１０８、１０９    安否情報配信装置
１１０、１１５    配信先・優先順位情報登録手段
１２０、５２０    配信先・優先順位情報格納手段
１３０    緊急情報受信手段
１３５    メッセージ受信・表示・転送手段
１４０    利用者確認手段
１７０、１７５、５７０    安否情報配信制御手段
１９０、５９０    メッセージ送信手段
５００    安否情報配信サーバ
５３０    メッセージ受信手段
５４０    安否情報格納手段
５８０    安否情報検索応答手段
８００、８０５    通信端末
８１０    メッセージ受信・表示手段
８８０    安否情報検索・表示手段
【図１】
2013206071.tif 000003
【図２】
2013206071.tif 000004
【図３】
2013206071.tif 000005
【図４】
2013206071.tif 000006
【図５】
2013206071.tif 000007
【図６】
2013206071.tif 000008
【図７】
2013206071.tif 000009
【図８】
2013206071.tif 000010
【図９】
2013206071.tif 000011
【図１０】
2013206071.tif 000012
【図１１】
2013206071.tif 000013